(57)【要約】ベルト取外具１０は、取外具本体１１とプーリ係合部１２とを備える。取外具本体１１は、ベルト載上面１１ａ’とベルト滑落面１１ｂ’とそれらの間のベルト移行面１１ｃ’とを有する。ベルト移行面１１ｃ’は、少なくともベルト接触部の平面視における曲率半径が５〜１１ｍｍである。
2012127802.tif 000002
【特許請求の範囲】
【請求項１】
プーリに巻き掛けられた伝動ベルトをプーリを回転させながら取り外す際に用いられるベルト取外具であって、
取外具本体と、
上記取外具本体がプーリ外周から外方に突出して配置されるようにプーリに係合するプーリ係合部と、
を備え、
上記取外具本体は、上記プーリ係合部がプーリに係合した状態において、
ベルト取り外しの際のプーリ回転方向における前側から後側に向かって、プーリ近接側からプーリ離間側に斜めに延びるように形成された本体正面を構成し、プーリが回転して、上記取外具本体がプーリへの伝動ベルトの巻き掛かり始めに配された後、プーリと伝動ベルトとの間に介在したときに、プーリに巻き掛けられていた伝動ベルトを、そのベルト内周に接触して、プーリ近接側からプーリ離間側に案内するように載せ上げるベルト載上面と、
プーリ幅方向におけるベルト取り外し側からその反対側に向かって、プーリ近接側からプーリ離間側に斜めに延びるように形成された本体側面を構成し、上記ベルト載上面に載せ上げた伝動ベルトを、そのベルト内周に接触して、プーリ離間側からプーリ近接側のプーリ外に案内するように滑落させるベルト滑落面と、
上記ベルト載上面と上記ベルト滑落面との間に設けられると共にそれらを滑らかに連結する外方に膨出したＲ面を構成し、該ベルト載上面に載せ上げた伝動ベルトを、そのベルト内周に接触して、該ベルト滑落面に移行させるベルト移行面と、
を有し、
上記ベルト移行面は、少なくともベルト接触部の平面視における曲率半径が５〜１１ｍｍであるベルト取外具。
【請求項２】
請求項１に記載されたベルト取外具において、
プーリ幅方向のベルト取り外し側の反対側に対応して設けられたプーリ嵌合固定部をさらに備えたベルト取外具。
【請求項３】
請求項１又は２に記載されたベルト取外具において、
上記プーリ係合部の正面側の面は、該プーリ係合部がプーリに係合した状態において、プーリの外周面と上記ベルト載上面とを滑らかに連続させるように斜めに延びるベルト導入面に構成されているベルト取外具。
【請求項４】
請求項１乃至３のいずれかに記載されたベルト取外具において、
プーリ幅方向のベルト取り外し側に対応して設けられたプーリのフランジを覆うフランジカバーをさらに備えたベルト取外具。
【請求項５】
請求項１乃至４のいずれかに記載されたベルト取外具において、
上記プーリ係合部は、リブプーリのリブ溝に係合する並行に延びるように形成された複数のリブにより構成されているベルト取外具。
【請求項６】
請求項５に記載されたベルト取外具において、
自動車のエンジンルーム内に設けられた補機駆動用のベルト伝動装置のリブプーリに巻き掛けられて取り付けられたＶリブドベルトを取り外すのに用いられるベルト取外具。
【請求項７】
請求項１乃至６のいずれかに記載されたベルト取外具において、
上記ベルト移行面の少なくともベルト接触部の平面視における曲率半径が、取り外し対象の伝動ベルトの厚みの１．２〜２．６倍であるベルト取外具。
【請求項８】
請求項１乃至７のいずれかに記載されたベルト取外具において、
上記ベルト載上面が平滑な傾斜面に形成されているベルト取外具。
【請求項９】
請求項８に記載されたベルト取外具において、
上記ベルト載上面の傾斜角度が２０〜６０°であるベルト取外具。
【請求項１０】
請求項１乃至９のいずれかに記載されたベルト取外具において、
上記ベルト滑落面が平滑な傾斜面に形成されているベルト取外具。
【請求項１１】
請求項１０に記載されたベルト取外具において、
上記ベルト滑落面の傾斜角度が３０〜７０°であるベルト取外具。
【請求項１２】
請求項１乃至１１のいずれかに記載されたベルト取外具において、
樹脂材料を射出成形したブロック状の射出成形品で構成されているベルト取外具。
【発明の詳細な説明】
【技術分野】
【０００１】
本発明は、プーリに巻き掛けられた伝動ベルトを取り外す際に使用されるベルト取外具に関する。
【背景技術】
【０００２】
自動車や一般産業用機械では、駆動源からの動力を伝達する手段として、プーリ間に伝動ベルトを巻き掛けたベルト伝動装置が広く用いられている。【０００３】
ところで、このようなベルト伝動装置の組立において、伝動ベルトをプーリ間に巻き掛けて組み付けた後、張力の調整等のために一旦伝動ベルトを取り外し、その後、再度伝動ベルトを組み付けるということを行う場合がある。【０００４】
このような場合に使用するベルト取外具として、特許文献１には、プーリ係合表面とベルト係合表面とを有する曲線状の本体を備え、プーリ係合表面とベルト係合表面とが内包角を成すものが開示されている。
【先行技術文献】
【特許文献】
【０００５】
【特許文献１】特表２００４−５３３５７９号公報
【発明の概要】
【０００６】
本発明は、  プーリに巻き掛けられた伝動ベルトをプーリを回転させながら取り外す際に用いられるベルト取外具であって、
取外具本体と、
上記取外具本体がプーリ外周から外方に突出して配置されるようにプーリに係合するプーリ係合部と、
を備え、
上記取外具本体は、上記プーリ係合部がプーリに係合した状態において、
ベルト取り外しの際のプーリ回転方向における前側から後側に向かって、プーリ近接側からプーリ離間側に斜めに延びるように形成された本体正面を構成し、プーリが回転して、上記取外具本体がプーリへの伝動ベルトの巻き掛かり始めに配された後、プーリと伝動ベルトとの間に介在したときに、プーリに巻き掛けられていた伝動ベルトを、そのベルト内周に接触して、プーリ近接側からプーリ離間側に案内するように載せ上げるベルト載上面と、
プーリ幅方向におけるベルト取り外し側からその反対側に向かって、プーリ近接側からプーリ離間側に斜めに延びるように形成された本体側面を構成し、上記ベルト載上面に載せ上げた伝動ベルトを、そのベルト内周に接触して、プーリ離間側からプーリ近接側のプーリ外に案内するように滑落させるベルト滑落面と、
上記ベルト載上面と上記ベルト滑落面との間に設けられると共にそれらを滑らかに連結する外方に膨出したＲ面を構成し、該ベルト載上面に載せ上げた伝動ベルトを、そのベルト内周に接触して、該ベルト滑落面に移行させるベルト移行面と、
を有し、
上記ベルト移行面は、少なくともベルト接触部の平面視における曲率半径が５〜１１ｍｍである。
【図面の簡単な説明】
【０００７】
【図１】実施形態に係るベルト取外具の平面・正面・一方の側面側からの斜視図である。
【図２】実施形態に係るベルト取外具の底面・背面・他方の側面側からの斜視図である。
【図３】実施形態に係るベルト取外具の正面図である。
【図４】実施形態に係るベルト取外具の一方の側面図である。
【図５】実施形態に係るベルト取外具の平面図である。
【図６】実施形態に係るベルト取外具の背面図である。
【図７】実施形態に係るベルト取外具をリブプーリに装着した状態を示す斜視図である。
【図８】実施形態に係るベルト取外具を用いたＶリブドベルトの取り外し方法を示す第１説明図である。
【図９】実施形態に係るベルト取外具を用いたＶリブドベルトの取り外し方法を示す第２説明図である。
【図１０】実施形態に係るベルト取外具を用いたＶリブドベルトの取り外し方法を示す第３説明図である。
【図１１】実施形態に係るベルト取外具を用いたＶリブドベルトの取り外し方法を示す第４説明図である。
【図１２】（ａ）プーリの外周面と取外具本体の本体正面との間に段差がある場合及び（ｂ）段差がない場合のＶリブドベルトの本体正面への載り上げ動作を示す説明図である。
【発明を実施するための形態】
【０００８】
以下、実施形態について図面に基づいて詳細に説明する。
【０００９】
図１〜７は実施形態に係るベルト取外具１０を示す。本実施形態に係るベルト取外具１０は、例えば、自動車のエンジンルーム内に設けられた補機駆動用のベルト伝動装置において、リブプーリ２０に巻き掛けられて取り付けられたＶリブドベルトＢ（伝動ベルト）をリブプーリ２０を回転させながら取り外す際に用いられる治具である。
【００１０】
本実施形態に係るベルト取外具１０は、樹脂材料を射出成形したブロック状の射出成形品で構成されている。本実施形態に係るベルト取外具１０を形成する樹脂材料としては、例えば、ポリプロピレン樹脂、ポリエチレン樹脂、ＡＢＳ樹脂等が挙げられる。本実施形態に係るベルト取外具１０は、取り外し対象のＶリブドベルトＢ及びリブプーリ２０のサイズに対応して寸法設定されるが、寸法最大外形寸法が例えば２０〜６０ｍｍである。
【００１１】
本実施形態に係るベルト取外具１０は、正面側から背面側に向かって延びるように形成された取外具本体１１とその下側に一体に設けられたプーリ係合部１２とを備えている。
【００１２】
取外具本体１１は、本体正面１１ａが、正面視において、直交する短辺及び長辺並びに直角に対向する斜辺からなる直角三角形状であって、短辺が底面側、斜辺が一方の本体側面１１ｂ側、及び長辺が他方の本体側面１１ｅ側にそれぞれ配設された形状に形成されている。本体正面１１ａは、正面側から背面側に向かって、取外具下側から取外具上側に斜めに延びる平滑な傾斜面に形成されている。この本体正面１１ａの傾斜角度θ1は例えば２０〜６０°（より好ましくは３０〜５０°）である。
【００１３】
取外具本体１１は、一方の本体側面１１ｂが、側面視において、円弧状に延びる帯形状に形成されている。一方の本体側面１１ｂは、直角三角形状の本体正面１１ａの斜辺を構成していることから、一方の側面側から他方の側面側に向かって、取外具下側から取外具上側に斜めに延びる平滑な傾斜面に形成されている。この一方の本体側面１１ｂの傾斜角度θ2は例えば３０〜７０°（より好ましくは４０〜６０°）である。
【００１４】
本体正面１１ａと一方の本体側面１１ｂとの間の境界部は、それらを滑らかに連結する外方に膨出したＲ面１１ｃに構成されている。このＲ面１１ｃは、少なくとも下部を含む部分の平面視における曲率半径ｒが５〜１１ｍｍである。Ｒ面１１ｃは、取外具上側から取外具下側まで平面視における曲率半径ｒが同一であってもよく、また、取外具上側から取外具下側までの間で平面視における曲率半径ｒが異なっていてもよいが、取外具下側部分である少なくともベルト接触部１３の平面視における曲率半径ｒが５〜１１ｍｍであり、８〜１０ｍｍであることが好ましい。また、この曲率半径ｒは、取り外し対象のＶリブドベルトＢの厚みの１．２〜２．６倍であることが好ましく、１．９〜２．３倍であることがより好ましい。
【００１５】
取外具本体１１は、本体背面１１ｄ及び他方の本体側面１１ｅがそれぞれ垂直面に構成されていると共に、本体背面１１ｄ及び他方の本体側面１１ｅに開口するように成形時のひけ防止のための凹部１４が形成されている。この凹部１４には、一方の本体側面１１ｂの背面側における上下方向の中央より少し上部に穿孔された貫通孔１５が連通している。また、取外具本体１１は、本体平面１１ｆが、一方の本体側面１１ｂの上辺の円弧を構成するように、正面側から背面側に延びる細長帯形状に形成されている。
【００１６】
プーリ係合部１２は、取外具本体１１の底面に垂下するように設けられた並行に延びるように形成された複数のリブ１２ａにより構成されている。そして、プーリ係合部１２は、それらの複数のリブ１２ａがリブプーリ２０のリブ溝に係合して、図７に示すように、本実施形態に係るベルト取外具１０をリブプーリ２０に係合装着するように構成されている。また、プーリ係合部１２の正面側の面１２ｂは、取外具本体１１の本体正面１１ａに連続する傾斜面に構成されている。なお、リブ１２ａの形状、寸法、及び数（図示の例では３つ）は、取り外し対象のＶリブドベルトＢ及びリブプーリ２０のサイズに対応して設定される。
【００１７】
本実施形態に係るベルト取外具１０は、取外具本体１１の他方の本体側面１１ｅに連続して下方に垂下した板状のフランジ嵌合片１６が長さ方向に沿って設けられている。そして、本実施形態に係るベルト取外具１０をリブプーリ２０に装着する際に、図７に示すように、フランジ嵌合片１６とプーリ係合部１２を構成する複数のリブ１２ａのうち他方側の端のリブ１２ａとの間でリブプーリ２０のフランジ２０ａに嵌合するように構成されている。つまり、このフランジ嵌合片１６が、本実施形態に係るベルト取外具１０をリブプーリ２０に嵌合固定するプーリ嵌合固定部１６’を構成している。
【００１８】
本実施形態に係るベルト取外具１０は、プーリ係合部１２を構成する複数のリブ１２ａのうち一方側の端のリブ１２ａの外側における取外具本体１１の本体底面１１ｇが長さ方向に細長く延びるように形成されている。そして、図７に示すように、その取外具本体１１の本体底面１１ｇが、本実施形態に係るベルト取外具１０をリブプーリ２０に装着した際に、リブプーリ２０のフランジ２０ａを覆うように構成されている。つまり、この取外具本体１１の細長い本体底面１１ｇがフランジカバー１１ｇ’を構成している。
【００１９】
次に、図８〜１２に基づいて、装置前面側に左右に間隔をおいて設けられた第１及び第２リブプーリ２１，２２間にＶリブドベルトＢが巻き掛けられたベルト伝動装置において、本実施形態に係るベルト取外具１０を用いて、第２リブプーリ２２からＶリブドベルトＢを手前側に取り外す方法について説明する。また、ベルト伝動装置を構成する第１及び第２リブプーリ２１，２２のプーリ径は例えば８０〜１６０ｍｍである。ＶリブドベルトＢは、例えば、ベルト周長が７００〜３０００ｍｍ、ベルト幅が１０〜３６ｍｍ、及びベルト厚さが４．０〜５．０ｍｍであり、リブは、例えば、高さが２．０〜３．０ｍｍ、基端間の幅が１．０〜３．６ｍｍ、数が３〜６個である。
【００２０】
まず、第２リブプーリ２２のうちＶリブドベルトＢが巻き掛けられずにプーリ外周が露出した部分に本実施形態に係るベルト取外具１０を装着する。具体的には、本実施形態に係るベルト取外具１０を、取外具本体１１の一方の本体側面１１ｂが手前側、つまり、プーリ幅方向におけるベルト取り外し側を向くように配置し、第２リブプーリ２２のプーリ外周のリブ溝に、プーリ係合部１２を構成する複数のリブ１２ａを係合させると共に、第２リブプーリ２２の奥側、つまり、プーリ幅方向におけるベルト取り外し側とは反対側のフランジ２２ａを、プーリ嵌合固定部１６’を構成するフランジ嵌合片１６とリブ１２ａとの間に外嵌めする。
【００２１】
このとき、本実施形態に係るベルト取外具１０は、第２リブプーリ２２に係合装着されると共に嵌合固定される。また、取外具本体１１はプーリ外周から外方に突出して配置される。さらに、取外具本体１１の細長い本体底面１１ｇは、プーリ幅方向におけるベルト取り外し側のフランジ２２ａを覆うように位置付けられる。また、プーリ係合部１２の正面側の面１２ｂは、第２リブプーリ２２の外周面と本体正面１１ａとを滑らかに連続させるように位置付けられる。
【００２２】
そして、第１プーリを回転させると共に、ＶリブドベルトＢを介して同期して第２リブプーリ２２をも回転させ、取外具本体１１を第２リブプーリ２２へのＶリブドベルトＢの巻き掛かり始めに位置付ける。
【００２３】
このとき、第２リブプーリ２２が回転し、取外具本体１１が第２リブプーリ２２へのＶリブドベルトＢの巻き掛かり始めに位置付けられた後、図８に示すように、取外具本体１１が第２リブプーリ２２とＶリブドベルトＢとの間に楔状に介在したときに、図９に矢印１で示すように、第２リブプーリ２２に巻き掛けられていたＶリブドベルトＢは、ベルト内周が接触して摺動しながら、プーリ係合部１２の正面側の面１２ｂを経由して、取外具本体１１の傾斜した本体正面１１ａに載り上がる。従って、プーリ係合部１２が第２リブプーリ２２に係合した状態において、取外具本体１１の本体正面１１ａは、ベルト取り外しの際のプーリ回転方向における前側（正面側）から後側（背面側）に向かって、取外具下側であるプーリ近接側から取外具上側であるプーリ離間側に斜めに延びる傾斜面を構成すると共に、第２リブプーリ２２に巻き掛けられていたＶリブドベルトＢを、そのベルト内周に接触して、プーリ近接側（取外具下側）からプーリ離間側（取外具上側）に案内するように載せ上げるベルト載上面１１ａ’を構成する。なお、この本体正面１１ａは、プーリ幅方向に対して平行に配されるように形成されていてもよく、また、ベルト取り外し側を向くようにプーリ幅方向に対してやや傾斜するように形成されていてもよい。プーリ係合部１２の正面側の面１２ｂは、第２リブプーリ２２の外周面とベルト載上面１１ａ’を構成する本体正面１１ａとを滑らかに連続させるように斜めに延びるベルト導入面１２ｂ’を構成する。なお、複数のリブ１２ａは、それらの前端がプーリ幅方向に並ぶように形成されていてもよく、また、プーリ幅方向に対して傾斜して並ぶように形成されていてもよい。
【００２４】
また、図９に矢印２で示すように、ベルト載上面１１ａ’を構成する取外具本体１１の本体正面１１ａに載り上げたＶリブドベルトＢは、ベルト内周が接触して摺動しながらＲ面１１ｃを経由して一方の本体側面１１ｂに移行する。従って、プーリ係合部１２が第２リブプーリ２２に係合した状態において、取外具本体１１のＲ面１１ｃは、ベルト載上面１１ａ’を構成する取外具本体１１の本体正面１１ａと一方の本体側面１１ｂとの間に設けられ、それらを滑らかに連結する外方に膨出した曲面を構成すると共に、ベルト載上面１１ａ’を構成する取外具本体１１の本体正面１１ａに載せ上げたＶリブドベルトＢを、そのベルト内周に接触して、一方の本体側面１１ｂに移行させるベルト移行面１１ｃ’を構成する。
【００２５】
さらに、図９に矢印３で示すように、ベルト載上面１１ａ’を構成する取外具本体１１の本体正面１１ａに載り上げてベルト移行面１１ｃ’を構成するＲ面１１ｃを経由したＶリブドベルトＢは、ベルト内周が接触して摺動しながら一方の本体側面１１ｂを滑落し、図１０に示すように第２リブプーリ２２外に案内され、最終的には図１１に示すように第２リブプーリ２２外に外れる。従って、プーリ係合部１２が第２リブプーリ２２に係合した状態において、取外具本体１１の一方の本体側面１１ｂは、プーリ幅方向におけるベルト取り外し側（手前側）からその反対側（奥側）に向かって、プーリ近接側からプーリ離間側に斜めに延びる傾斜面を構成すると共に、ベルト載上面１１ａ’を構成する取外具本体１１の本体正面１１ａに載せ上げて、ベルト移行面１１ｃ’を構成するＲ面１１ｃを経由したＶリブドベルトＢを、そのベルト内周に接触して、プーリ離間側からプーリ近接側の第２リブプーリ２２外に案内するように滑落させるベルト滑落面１１ｂ’を構成する。
【００２６】
本実施形態に係るベルト取外具１０によれば、ベルト移行面１１ｃ’を構成するＲ面１１ｃの少なくともベルト接触部１３の平面視における曲率半径ｒが５〜１１ｍｍであることにより、第１及び第２リブプーリ２１，２２に巻き掛けられたＶリブドベルトＢを取り外す際に、ＶリブドベルトＢが亀裂や摩滅といった損傷を受けるのを防止することができる。通常、プーリから一旦取り外した伝動ベルトは、取り外しの際に損傷を受けると、その後の再組み付けには使用することができない。しかしながら、本実施形態に係るベルト取外具１０によれば、ＶリブドベルトＢが亀裂や摩滅といった損傷を受けるのを防止することができるので、再組み付けして使用することができる。
【００２７】
また、プーリ幅方向のベルト取り外し側の反対側に対応してプーリ嵌合固定部１６’を構成するフランジ嵌合片１６が設けられているので、第２リブプーリ２２から取り外されるＶリブドベルトＢがフランジ嵌合片１６に接触して損傷を受けるのを回避することができる。
【００２８】
さらに、図１２（ａ）に示すように、第２リブプーリ２２の外周面とベルト載上面１１ａ’を構成する本体正面１１ａとの間に段差を有していると、ＶリブドベルトＢが本体正面１１ａに載り上げる際に、段差部分で折れ曲がるような逆曲げが加わる虞があるが、図１２（ｂ）に示すように、ベルト導入面１２ｂ’を構成するプーリ係合部１２の正面側の面１２ｂが、第２リブプーリ２２の外周面と本体正面１１ａとを滑らかに連続させるように斜めに延びているので、ＶリブドベルトＢがスムーズに第２リブプーリ２２の外周面から本体正面１１ａに載り上がり、ＶリブドベルトＢにかかる折れ曲がるような逆曲げが加わるのを回避することができる。
【００２９】
また、プーリ幅方向のベルト取り外し側に対応して第２リブプーリ２２のフランジ２２ａを覆うフランジカバー１１ｇ’を構成する取外具本体１１の本体底面１１ｇが設けられているので、第２リブプーリ２２から取り外されるＶリブドベルトＢが第２リブプーリ２２のフランジ２２ａに接触して損傷を受けるのを回避することができる。
【００３０】
なお、本実施形態では、リブプーリ２０に巻き掛けられたＶリブドベルトＢを取り外す際に用いられるベルト取外具１０としたが、特にこれに限定されるものではなく、プーリに巻き掛けられたＶベルト等の他の種類の伝動ベルトを取り外す際に用いられるものであってもよい。
【００３１】
本実施形態では、射出成形品のベルト取外具１０としたが、特にこれに限定されるものではなく、樹脂切削加工品であってもよく、また、金属等の他の材料で形成されたものであってもよい。
【実施例】
【００３２】
上記実施形態と同一の構成のベルト取外具１〜９を用いて試験評価を行った。【００３３】
（ベルト取外具）
上記実施形態と同一の構成であって、ベルト移行面を構成するＲ面のベルト接触部の平面視における曲率半径をそれぞれ５ｍｍ、６ｍｍ、８ｍｍ、１０ｍｍ、及び１１ｍｍとした実施例１〜５のベルト取外具、並びにベルト移行面を構成するＲ面のベルト接触部の平面視における曲率半径をそれぞれ２ｍｍ、４ｍｍ、１２ｍｍ、及び１５ｍｍとした比較例１〜４のベルト取外具を作製した。【００３４】
（試験評価方法）
実施例１〜５及び比較例１〜４のそれぞれのベルト取外具を用い、自動車の補機駆動用のベルト伝動装置に取り付けた新品の自動車用Ｖリブドベルトの取り外しを行い、それを再びベルト伝動装置に取り付ける操作を１０回繰り返した。【００３５】
そして、１０回の取り付け・取り外しを行った後のＶリブドベルトのリブ表面を観察した。【００３６】
なお、試験評価に用いたリブプーリのプーリ径は１２０ｍｍであった。Ｖリブドベルトは、ベルト周長が６７８ｍｍ、ベルト幅が１０．６８ｍｍ、及びベルト厚さが４．３ｍｍであり、リブは、高さが２．０ｍｍ、基端間の幅が３．５６ｍｍ、数が３個であった。【００３７】
（試験評価結果）
表１は試験評価の結果を示す。【００３８】
【表１】
2012127802.tif 000003
【００３９】
リブ側面の亀裂は、実施例１〜５並びに比較例１及び２が無しであったのに対し、比較例３及び４が有りであった。【００４０】
リブ先端の摩滅は、実施例１〜５並びに比較例３及び４が無しであったのに対し、比較例１及び２が有りであった。特に比較例１の摩滅は著しいものであった。【００４１】
以上の結果より、全体評価として、実施例１〜５はＯＫであったのに対し、比較例１〜４はＮＧであった。
【産業上の利用可能性】
【００４２】
本発明は、プーリに巻き掛けられた伝動ベルトを取り外す際に使用されるベルト取外具、特に、自動車のエンジンルーム内に設けられた補機駆動用のベルト伝動装置のプーリに巻き掛けられて取り付けられたＶリブドベルト取り外す際に使用されるベルト取外具について有用である。
【符号の説明】
【００４３】
Ｂ  Ｖリブドベルト
１０  ベルト取外具
１１  取外具本体
１１ａ  本体正面
１１ａ’  ベルト載上面
１１ｂ  一方の本体側面
１１ｂ’  ベルト滑落面
１１ｃ  Ｒ面
１１ｃ’  ベルト移行面
１１ｄ  本体背面
１１ｅ  他方の本体側面
１１ｆ  本体平面
１１ｇ  本体底面
１１ｇ’  フランジカバー
１２  プーリ係合部
１２ａ  リブ
１２ｂ  正面側の面
１２ｂ’  ベルト導入面
１３  ベルト接触部
１４  凹部
１５  貫通孔
１６  フランジ嵌合片
１６’  プーリ嵌合固定部
２０  リブプーリ
２１  第１リブプーリ
２２  第２リブプーリ
２０ａ，２１ａ  フランジ
【図１】
2012127802.tif 000004
【図２】
2012127802.tif 000005
【図３】
2012127802.tif 000006
【図４】
2012127802.tif 000007
【図５】
2012127802.tif 000008
【図６】
2012127802.tif 000009
【図７】
2012127802.tif 000010
【図８】
2012127802.tif 000011
【図９】
2012127802.tif 000012
【図１０】
2012127802.tif 000013
【図１１】
2012127802.tif 000014
【図１２】
2012127802.tif 000015
【国際調査報告】
2012127802.tif 000016
2012127802.tif 000017
2012127802.tif 000018
2012127802.tif 000019